(57)【要約】【課題】使用される交流入力電圧に応じて冷却ファンの駆動電圧を適切に制御することにより、冷却ファンの駆動に伴う騒音を必要十分に抑制することができる電源装置を提供すること。【解決手段】電源装置２０は、所定幅の交流入力電圧１５２を所与の直流電圧６２、７４に変換して出力する主電源部３０と、交流入力電圧１５２を所与の直流電圧６２、７４に変換する前の電圧値５２を検出して電圧検出情報８２を出力する電圧検出部８０と、電圧検出情報８２に基づいて、主電源部３０を冷却するための冷却ファン１２０の駆動電圧１０２を制御する冷却ファン駆動電圧制御部９０とを含む。【選択図】図１
2008160926.tif 000002
【特許請求の範囲】
【請求項１】
所定幅の交流入力電圧を所与の直流電圧に変換して出力する主電源部と、
前記交流入力電圧を所与の直流電圧に変換する前の電圧値を検出して電圧検出情報を出力する電圧検出部と、
前記電圧検出情報に基づいて、前記主電源部を冷却するための冷却ファンの駆動電圧を制御する冷却ファン駆動電圧制御部とを含むことを特徴とする電源装置。
【請求項２】
請求項１において、
周囲温度を検出して温度検出情報を出力する温度検出部を含み、
前記冷却ファン駆動電圧制御部は、
前記所定幅の交流入力電圧に応じて用意された、前記温度検出情報と前記冷却ファンの駆動電圧の複数の対応関係から前記電圧検出情報に基づいて選択した対応関係に従い、前記温度検出情報に基づいて前記冷却ファンの駆動電圧を制御することを特徴とする電源装置。
【請求項３】
請求項１又は２において、
前記冷却ファンは、前記主電源部に含まれる発熱部材を冷却することを特徴とする電源装置。
【請求項４】
請求項１乃至３のいずれかにおいて、
前記主電源部は、
前記交流入力電圧を全波整流して出力する全波整流部と、
前記全波整流部の出力をＰＦＣ昇圧して前記直流電圧を出力するＰＦＣ昇圧部とを含むことを特徴とする電源装置。
【請求項５】
請求項４において、
前記ＰＦＣ昇圧部は、
前記直流電圧の負荷に応じて内部電流を制御することにより、前記直流電圧を一定にするようにフィードバック制御を行うフィードバック制御部を有することを特徴とする電源装置。
【請求項６】
請求項４又は５において、
前記ＰＦＣ昇圧部は、
前記電圧検出情報に基づいて内部電流を制御することにより、前記電圧検出情報に応じて前記直流電圧を変更して出力するように制御を行う直流電圧変更制御部を有することを特徴とする電源装置。
【請求項７】
請求項４乃至６において、
前記電圧検出部は、
前記全波整流部の入力又は出力の電圧値を検出して前記電圧検出情報を出力することを特徴とする電源装置。
【請求項８】
請求項１乃至７のいずれかに記載された電源装置と冷却ファンを含むことを特徴とするプロジェクタ。
【発明の詳細な説明】
【技術分野】
【０００１】
本発明は、電源装置及びプロジェクタに関する。
【背景技術】
【０００２】
電源装置では半導体部品の発熱による温度上昇が原因で動作が不安定になり得るため温度管理が重要であり、温度に応じて冷却ファンの回転数を制御することにより温度管理を行っている。ワールドワイド入力電圧対応の電源装置では、交流入力電圧に依存して半導体部品の発熱温度が大きく相違する。そのため、従来、最悪条件下（交流入力電圧の仕様最低電圧が入力された場合）で設定された冷却条件に基づいて、すべての交流入力電圧に対して同様に冷却ファンを駆動していた。
【特許文献１】特開２００１−２３５７９７号公報
【発明の開示】
【発明が解決しようとする課題】
【０００３】
しかし、最悪条件下と大きく異なる交流入力電圧が入力された場合、半導体部品は過冷却の状態になる。半導体部品が過冷却の状態になると過剰な品質の電源装置を提供することになり、冷却ファンを無駄に駆動することになる。冷却ファンを駆動すると騒音が発生するため、プロジェクタのように騒音が問題となる機器に使用する場合には、電源装置が過剰品質となることは好ましいことではない。また、冷却ファンの駆動電力を削減するためにも過剰品質となることは好ましくない。
【０００４】
本発明は、以上のような問題点に鑑みてなされたものであり、使用される交流入力電圧に応じて冷却ファンの駆動電圧を適切に制御することにより、冷却ファンの駆動に伴う騒音を必要十分に抑制することができる電源装置を提供することを目的とする。
【課題を解決するための手段】
【０００５】
（１）本発明に係る電源装置は、所定幅の交流入力電圧を所与の直流電圧に変換して出力する主電源部と、前記交流入力電圧を所与の直流電圧に変換する前の電圧値を検出して電圧検出情報を出力する電圧検出部と、前記電圧検出情報に基づいて、前記主電源部を冷却するための冷却ファンの駆動電圧を制御する冷却ファン駆動電圧制御部とを含むことを特徴とする。
【０００６】
本発明によれば、交流入力電圧に係る電圧値を検出することにより、直接的又は間接的に交流入力の電圧値を知ることができるので、交流入力電圧に応じて、冷却ファンの駆動電圧を適切に設定することができる。そのため、半導体部品の過冷却を防止し、冷却ファンの駆動に伴う騒音を必要十分に抑制することができる。
【０００７】
（２）本発明に係る電源装置は、周囲温度を検出して温度検出情報を出力する温度検出部を含み、前記冷却ファン駆動電圧制御部は、前記所定幅の交流入力電圧に応じて用意された、前記温度検出情報と前記冷却ファンの駆動電圧の複数の対応関係から前記電圧検出情報に基づいて選択した対応関係に従い、前記温度検出情報に基づいて前記冷却ファンの駆動電圧を制御することを特徴とする。
【０００８】
本発明によれば、半導体部品の発熱温度を直接検出しなくとも、周囲温度（環境温度）を検出すれば、電圧検出情報に基づいて選択した対応関係に従い、冷却ファン駆動電圧を適切に設定することができる。そのため、半導体部品の過冷却を防止し、冷却ファンの駆動に伴う騒音を必要十分に抑制することができる。
【０００９】
また、本発明によれば、半導体部品の発熱温度を直接検出しなくてよいので、トランスの１次側にサーミスタを設置する必要がなく、設計の自由度が向上する。
【００１０】
（３）本発明に係る電源装置は、前記冷却ファンは、前記主電源部に含まれる発熱部材を冷却することを特徴とする。
【００１１】
本発明によれば、交流入力電圧に応じて最も温度変化が大きい主電源部に含まれる発熱部材を冷却することができる。
【００１２】
（４）本発明に係る電源装置は、前記主電源部は、前記交流入力電圧を全波整流して出力する全波整流部と、前記全波整流部の出力をＰＦＣ昇圧して前記直流電圧を出力するＰＦＣ昇圧部とを含むことを特徴とする。
【００１３】
（５）本発明に係る電源装置は、前記ＰＦＣ昇圧部は、前記直流電圧の負荷に応じて内部電流を制御することにより、前記直流電圧を一定にするようにフィードバック制御を行うフィードバック制御部を有することを特徴とする。
【００１４】
本発明によれば、電源装置が出力する直流電圧の負荷に変動があった場合であっても、直流電圧を一定に保つことができるので、より安定した電源装置を提供することができる。
【００１５】
（６）本発明に係る電源装置は、前記ＰＦＣ昇圧部は、前記電圧検出情報に基づいて内部電流を制御することにより、前記電圧検出情報に応じて前記直流電圧を変更して出力するように制御を行う直流電圧変更制御部を有することを特徴とする。
【００１６】
本発明によれば、電圧検出情報により交流入力電圧を知ることができるので、交流入力電圧が低い時は直流出力電圧を低くし、交流入力電圧が高い時は直流出力電圧を高くするように制御することができる。そのため、交流入力電圧の帯域ごとに、主電源部に流れる電流を適切に制御することができるので、半導体部品の過冷却を防止し、冷却ファンの駆動に伴う騒音を必要十分に抑制することができる。
【００１７】
（７）本発明に係る電源装置は、前記電圧検出部は、前記全波整流部の入力又は出力の電圧値を検出して前記電圧検出情報を出力することを特徴とする。
【００１８】
本発明によれば、電圧検出部は全波整流部の出力電圧を検出する場合には、交流電源の電圧を検出する場合に必要となる整流回路が不要となり、冗長でない回路を構成することができる。
【００１９】
（８）本発明は、上記のいずれかに記載された電源装置と冷却ファンを含むことを特徴とするプロジェクタである。
【００２０】
本発明によれば、交流入力電圧に応じて冷却ファンの駆動電圧を精密に制御することができるので、冷却ファンの駆動に伴う騒音を必要十分に抑制する高性能のプロジェクタを提供することができる。
【発明を実施するための最良の形態】
【００２１】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２２】
１．電源装置、プロジェクタ
図１は、本実施の形態の電源装置及び本実施の形態の電源装置を組み込んだプロジェクタの構成例を説明するための図である。
【００２３】
プロジェクタ１０は、電源装置２０、冷却ファン１２０、バラスト回路１３０、ランプ１４０を含む。冷却ファン１２０は、冷却ファン駆動電圧１０２に基づいてファンの回転数を増減させることにより電源装置２０の冷却度合いを可変に制御する。冷却ファン１２０は、特に、主電源部３０に含まれる発熱部材を冷却する。発熱部材としては、全波整流回路５０に含まれるダイオードやＰＦＣ昇圧回路６０に含まれるコイル、ダイオード、トランジスタなどがある。バラスト回路１３０は、電源装置２０が出力する、例えば、３８０Ｖの直流電圧６２を５０Ｖ〜１３０Ｖに降圧させ、ランプ１４０の電極を絶縁破壊してランプ１４０を点灯させるためのイグナイタ電流及びランプ１４０の点灯を持続させるための交流矩形波のランプ電流をランプ１４０に出力（１３２）する。
【００２４】
電源装置２０は、主電源部３０を含む。主電源部３０は、交流電源１５０が出力する所定幅の交流入力電圧１５２を所与の直流電圧６２及び７４に変換して出力する。所定幅の交流入力電圧は、例えば、ワールドワイド対応の電源装置の場合はＡＣ８５Ｖ〜ＡＣ２６４Ｖ程度の交流入力電圧である。
【００２５】
主電源部３０は、放射性ノイズ及び伝導性ノイズを除去するためのＥＭＩフィルタ４０を含んでもよい。
【００２６】
主電源部３０は、全波整流部として機能する全波整流回路５０を含む。全波整流回路５０は、ダイオードなどの整流素子を組み合わせて構成され、交流入力電圧１５２を全波整流して出力（５２）する。
【００２７】
主電源部３０は、全波整流部の出力をＰＦＣ昇圧して直流電圧を出力するＰＦＣ（Power Factor Correction）昇圧部として機能するＰＦＣ昇圧回路６０を含む。
【００２８】
ＰＦＣ昇圧回路６０は、全波整流回路５０の出力（５２）の電圧と電流の位相を揃えることにより力率を改善しつつ、内部電流を制御することにより全波整流回路５０の出力（５２）の電圧を所望の電圧まで昇圧した直流電圧６２を出力する。ＰＦＣ昇圧回路６０は、所定幅の交流入力電圧１５２に応じた電圧検出情報８２に従い、全波整流回路５０の出力（５２）をＰＦＣ昇圧し、交流入力電圧１５２と無関係に一定の直流電圧出力６２を生成してもよいし、交流入力電圧１５２に応じて直流電圧出力６２を変更するようにしてもよい。例えば、ワールドワイド対応の電源装置の場合は、直流電圧６２は、ＤＣ３８０Ｖ等の一定電圧であってもよいし、交流入力電圧１５２に応じて電圧値を変更してもよい。さらに、ＰＦＣ昇圧回路６０は、直流電圧６２の負荷に応じて内部電流を制御することにより、直流電圧６２を一定にするようにフィードバック制御を行うフィードバック制御部を有するように構成してもよい。直流電圧出力６２をフィードバックして制御することにより、ＰＦＣ昇圧回路６０は、直流電圧出力６２の負荷が変動しても直流電圧出力６２を一定に保つことができる。
【００２９】
主電源部３０は、ＤＣ−ＤＣフライバックコンバータ７０を含んでもよい。ＤＣ−ＤＣフライバックコンバータ７０は、トランス７２により１次側と２次側を絶縁し、ＰＦＣ昇圧回路６０が出力する直流電圧６２を昇圧又は降圧した直流電圧７４をトランス７２の２次側に発生させる。
【００３０】
電源装置２０は、電圧検出部として機能する入力電圧検出回路８０を含む。入力電圧検出回路８０は、ＰＦＣ昇圧回路６０が交流入力電圧１５２を所与の直流電圧６２に変換する前の任意の電圧値を検出して電圧検出情報８２を出力する。交流入力電圧１５２を所与の直流電圧６２に変換する前の電圧値は、交流入力電圧１５２の電圧値そのものであってもよいし、ＥＭＩフィルタ４０を通した後の全波整流回路５０の入力（４２）又は出力（５２）の電圧値であってもよい。入力電圧検出回路８０は、例えば、全波整流回路５０の出力（５２）の平均電圧値を検出し、電圧検出情報８２を出力する。また、電圧検出情報８２は、検出した電圧値（平均値）そのものであってもよいし、ＡＣ１００Ｖ系（例えば、ＡＣ９０Ｖ〜ＡＣ１３０Ｖ）とＡＣ２００Ｖ系（例えば、ＡＣ２２０Ｖ〜ＡＣ２６４Ｖ）の交流入力電圧のみを使用する場合は、ＡＣ１００Ｖ系とＡＣ２００Ｖ系のいずれの交流入力電圧が使用されているかを区別することができる２値信号であってもよい。
【００３１】
電源装置２０は、温度検出部として機能する周囲温度検出回路１１０を含む。周囲温度検出回路１１０は周囲温度を検出し、温度検出情報１１２を出力する。
【００３２】
電源装置２０は、冷却ファン駆動電圧制御部として機能する冷却ファン駆動電圧制御回路９０を含む。冷却ファン駆動電圧制御回路９０は、入力電圧検出回路８０が検出した電圧検出情報８２に基づいて制御信号９２を出力し、冷却ファン駆動回路１００が出力する冷却ファン駆動電圧１０２を制御する。冷却ファン駆動電圧１０２の制御方法としては種々の方法が考えられるが、例えば、交流電源１５０がＡＣ１００Ｖ系又はＡＣ２００Ｖ系のいずれかの交流電圧１５２を出力する場合には、冷却ファン駆動回路１００がＡＣ１００Ｖ系の時の冷却ファン駆動電圧（例えば、８．５Ｖ）とＡＣ２００Ｖ系の時の冷却ファン駆動電圧（例えば、６．５Ｖ）のいずれかを選択して出力（１０２）するための制御信号９２を出力するようにしてもよい。また、交流電源１５０が所定幅の交流電圧１５２を出力する場合には、当該所定幅の電圧値に応じて、冷却ファン駆動電圧１０２を段階的に変更するように制御するための制御信号９２を出力するようにしてもよい。
【００３３】
また、冷却ファン駆動電圧制御回路９０は、電圧検出情報８２のみに基づいて冷却ファン駆動電圧１０２を制御するだけでなく、交流入力電圧１５２に応じて用意された、周囲温度検出回路１１０（温度検出部）が検出した温度検出情報１１２と冷却ファン駆動電圧１０２の複数の対応関係から、電圧検出情報８２に基づいて選択した対応関係に従い、温度検出情報１１２に基づいて冷却ファン駆動電圧１０２を制御するようにしてもよい。温度検出情報１１２と冷却ファン駆動電圧１０２の対応関係は実測値等に基づいて決定し、使用する交流入力電圧に応じて必要な数の対応関係を用意すればよい。例えば、交流電源１５０がＡＣ１００Ｖ系又はＡＣ２００Ｖ系のいずれかの交流入力電圧１５２を出力する場合には、ＡＣ１００Ｖ系の時の温度検出情報１１２と冷却ファン駆動電圧１０２の対応関係とＡＣ２００Ｖ系の時の温度検出情報１１２と冷却ファン駆動電圧１０２の対応関係を用意し、電圧検出情報８２に基づいてどちらか一方の対応関係を選択し、当該対応関係に従い、温度検出情報１１２に基づいて制御信号９２を出力するようにしてもよい。発熱部材の発熱温度は、交流入力電圧、周囲温度、主電源部の出力負荷によりほぼ決まるので、主電源部３０の出力負荷がほぼ一定の場合は、交流入力電圧と周囲温度がわかれば発熱部材の発熱温度を間接的に把握することができる。従って、冷却ファン駆動電圧制御回路９０は、電圧検出情報８２及び温度検出情報１１２から発熱部材の発熱温度を間接的に把握することができ、冷却ファン駆動電圧１０２をより詳細に制御することができる。その結果、発熱部材を必要以上に冷却する必要がなくなり、冷却ファンの駆動に伴う騒音や電力消費を効率的に抑制することができる。
【００３４】
なお、冷却ファン駆動電圧の制御は、冷却ファン駆動電圧制御回路９０ではなくソフトウェアで行ってもよい。
【００３５】
電源装置２０は、冷却ファン駆動回路１００を含んでもよい。冷却ファン駆動回路１００は、冷却ファン駆動電圧制御回路９０が出力する制御信号９２に従い、ＤＣ−ＤＣフライバックコンバータ７０が出力する直流電圧７４から冷却ファン駆動電圧１０２を生成して冷却ファン１２０に供給する。
【００３６】
図２は、本実施の形態の電源装置における入力電圧検出回路の構成例を説明するための図である。図２に示す入力電圧検出回路８０は、図１における交流入力電圧１５２がＡＣ１００Ｖ系かＡＣ２００Ｖ系のいずれであるかを検出する回路の構成例である。
【００３７】
Ｉ１、Ｉ２は全波整流された信号（全波整流回路５０の出力（５２））の入力端子、Ｏ１は電圧検出情報８２の出力端子、Ｔ１はＮＰＮ形トランジスタ、Ｒ１〜Ｒ５は抵抗器、ＺＤはツェナーダイオード、ＰＨＣはフォトカプラである。
【００３８】
Ｉ１とＩ２にＡＣ１００Ｖ系の交流電圧が全波整流された信号が入力された場合、Ｒ１とＲ２で分圧され、ツェナーダイオードＺＤの両端にかかる電圧がツェナー電圧に達しないため、ＮＰＮ形トランジスタＴ１はオフ状態である。ＮＰＮ形トランジスタＴ１はオフ状態であるため、フォトカプラＰＨＣ内部の発光ダイオードＤ１の両端にかかる電位差は０であり、発光ダイオードＤ１が発光せず、フォトカプラＰＨＣ内部のトランジスタＴ２はオフ状態である。従って、出力端子Ｏ１の電圧は抵抗Ｒ５でプルアップされてＨレベルとなる。
【００３９】
一方、Ｉ１とＩ２にＡＣ２００Ｖ系の交流電圧が全波整流された信号が入力された場合、Ｒ１とＲ２で分圧され、ツェナーダイオードＺＤの両端にかかる電圧がツェナー電圧に達するため、ＮＰＮ形トランジスタＴ１はオン状態である。ＮＰＮ形トランジスタＴ１はオン状態であるため、フォトカプラＰＨＣ内部の発光ダイオードＤ１の両端には抵抗Ｒ３により決まる電位差が生じて発光ダイオードＤ１が発光し、フォトカプラＰＨＣ内部のトランジスタＴ２はオン状態である。従って、出力端子Ｏ１の電圧はＬレベルとなる。
【００４０】
すなわち、入力電圧検出回路８０は、ＡＣ１００Ｖ系の交流電圧が全波整流された信号が入力された場合はＨレベルの信号を出力し、ＡＣ２００Ｖ系の交流電圧が全波整流された信号が入力された場合はＬレベルの信号を出力することにより、交流入力電圧がＡＣ１００Ｖ系又はＡＣ２００Ｖ系のいずれであるかを検出し、電圧検出情報８２を出力する。
【００４１】
図３は、本実施の形態の電源装置におけるＰＦＣ昇圧回路の回路構成例を説明するための図である。
【００４２】
ＰＦＣ昇圧回路６０は、コイルＬ１、ダイオードＤ２、ＮＰＮ形トランジスタＴ３、コンデンサＣ１及びＰＷＭ（Pulse Width Modulation）制御回路６４により昇圧チョッパ回路として構成され、Ｉ３とＩ４に入力された全波整流回路５０の出力（５２）を昇圧し、Ｏ３とＯ４に直流電圧６２を出力するように動作する。ＮＰＮ形トランジスタＴ３は、ＰＷＭ制御回路６４が出力するＰＷＭ制御信号６６がＨレベルの時にオン状態になり、Ｌレベルの時にオフ状態になるスイッチとしての機能を果たせばよく、ＮＭＯＳスイッチであってもよい。また、ＰＮＰ形トランジスタ又はＰＭＯＳスイッチを使用し、ＰＷＭ制御信号６６がＬレベルの時にオン状態になり、Ｈレベルの時にオフ状態になるように構成してもよい。
【００４３】
ＮＰＮ形トランジスタＴ３をオン状態にすると、コイルＬ１に電流が流れ、コイルＬ１にエネルギーが蓄えられる。電流が一定値に達したところでＮＰＮ形トランジスタＴ３をオフ状態にすると、コイルＬ１に蓄えられたエネルギーはダイオードＤ２を通してコンデンサＣ１を充電する。すなわち、ＮＰＮ形トランジスタＴ３のオン／オフを繰り返すことにより、ＰＦＣ昇圧回路６０の出力（６２）に一定の直流電圧（例えば、ＤＣ３８０Ｖ）を発生させることができる。ＮＰＮ形トランジスタＴ３のオン／オフの制御は、ＰＷＭ制御回路６４が電圧検出情報８２に基づいて行う。例えば、電圧検出情報８２がＡＣ１００Ｖ系の交流入力電圧であることを示す場合は、ＡＣ２００Ｖ系の交流入力電圧であることを示す場合よりも多くのエネルギーをコイルＬ１に蓄積してＤＣ３８０Ｖに昇圧するので、ＰＷＭ制御回路６４は、ＡＣ１００Ｖ系の交流入力電圧の場合には、Ｈレベルの時間幅がより大きいＰＷＭ制御信号６６を生成し、ＮＰＮ形トランジスタＴ３のオン／オフを制御する。
【００４４】
また、ＰＷＭ制御回路６４は、直流電圧６２の負荷に応じて内部電流を制御することにより、直流電圧６２を一定にするようにフィードバック制御を行うフィードバック制御部として機能させてもよい。例えば、ＰＷＭ制御回路６４は、直流出力電圧６２の負荷が変動することにより、直流出力電圧６２が低くなった時はＨレベルの時間幅をより大きくし、直流出力電圧６２が高くなった時はＨレベルの時間幅をより小さくするようにＰＷＭ制御信号６６を生成し、ＮＰＮ形トランジスタＴ３のオン／オフをフィードバック制御するようにしてもよい。
【００４５】
さらに、ＰＷＭ制御回路６４は、電圧検出情報８２に基づいて内部電流を制御することにより、電圧検出情報８２に応じて直流電圧６２を変更して出力するように制御を行う直流電圧変更制御部として機能させてもよい。例えば、交流入力電圧１５２にかかわらずＰＷＭ制御信号６６のＨレベルの時間幅をほぼ一定に保つように制御すれば、交流入力電圧１５２に応じてＮＰＮ型トランジスタＴ３を流れる内部電流を制御することができるので、直流出力電圧６２を変更して出力することができる。例えば、ＡＣ１００Ｖ系の時は直流出力電圧６２がＤＣ１９０Ｖになるように制御し、ＡＣ２００Ｖ系の時は直流出力電圧６２がＤＣ３８０Ｖになるように制御することができる。実用上は、バラスト回路１３０が動作可能な最低電圧を確保するために、ＡＣ１００Ｖ系の時はＰＷＭ制御信号６６のＨレベルの時間幅を少し大きくすることにより、例えば、直流出力電圧６２がＤＣ２５０Ｖになるように制御することもできる。従って、ＡＣ１００Ｖ系の時はＤＣ２５０Ｖに昇圧すればよいため、交流入力電圧１５２に関係なくＰＦＣ昇圧回路６０の出力（６２）をＤＣ３８０Ｖの一定電圧にするように制御する場合と比較して、ＡＣ１００Ｖ系の時にＰＦＣ昇圧回路６０に流れる電流を抑制することができる。その結果、ＡＣ１００Ｖ系の時も冷却ファン駆動電圧１０２を低くすることができるので、冷却ファンの駆動に伴う騒音を必要十分に抑制することができる。
【００４６】
図４は、温度検出情報と冷却ファン駆動電圧の対応関係の例を説明するための図である。図４（Ａ）、（Ｂ）は、それぞれＡＣ１００Ｖ系、ＡＣ２００Ｖ系の交流入力電圧が入力された場合の温度検出情報と冷却ファン駆動電圧の対応関係の例である。図４（Ａ）、（Ｂ）において、横軸は周囲温度検出回路１１０が検出した検出温度（周囲温度）を示し、縦軸は冷却ファン駆動電圧１０２を示す。例えば、図４（Ａ）の対応関係において、検出温度が３０℃であれば冷却ファン駆動電圧１０２は９．０Ｖであり、検出温度が６０℃であれば冷却ファン駆動電圧１０２は１３．０Ｖである。また、図４（Ｂ）の対応関係において、検出温度が３０℃であれば冷却ファン駆動電圧１０２は７．０Ｖであり、検出温度が６０℃であれば冷却ファン駆動電圧１０２は１１．０Ｖである。ここで、図３で説明したように、ＡＣ２００Ｖ系の交流入力電圧が入力された場合の方がＡＣ１００Ｖ系の交流入力電圧が入力された場合に比べ、ＰＦＣ昇圧回路６０においてＮＰＮ形トランジスタＴ３をオン状態にする時間が短いため、コイルＬ１、トランジスタＴ３、ダイオードＤ２、コンデンサＣ１に流れる電流が小さく、冷却ファン駆動電圧１０２を低くしても、ＡＣ１００Ｖ系の交流入力電圧が入力された場合と同程度に発熱部材を冷却することができる。従って、同一の検出温度に対して、図４（Ｂ）の対応関係における冷却ファン駆動電圧の方が、図４（Ａ）の対応関係における冷却ファン駆動電圧よりも小さくなっている。
【００４７】
温度検出情報と冷却ファン駆動電圧の対応関係は、対応関係を示すテーブルとして用意してもよいし、冷却ファン駆動電圧１０２の制御をソフトウェアで行う場合は、制御アルゴリズムにおいて温度検出情報を変数とする冷却ファン駆動電圧の関数を用意してもよい。また、冷却ファン駆動電圧１０２の制御をハードウェアウェアで行う場合は、温度検出情報を入力として対応関係に従って冷却ファン駆動電圧を出力する専用回路を用意してもよい。
【００４８】
図５は、交流入力電圧がＡＣ１００Ｖ系又はＡＣ２００Ｖ系のいずれかである場合において、図１の電源装置における冷却ファン駆動電圧１０２の制御をソフトウェアで行う場合の制御フローの例を説明するための図である。
【００４９】
まず、入力電圧検出回路８０が出力する電圧検出情報８２に基づいて、交流入力電圧１５２がＡＣ１００Ｖ系であるか否かを判断する（ステップＳ１０）。例えば、入力電圧検出回路８０を図２のように構成した場合、電圧検出情報８２がＨレベルであれば交流入力電圧１５２はＡＣ１００Ｖ系であると判断し、電圧検出情報８２がＬレベルであれば交流入力電圧１５２はＡＣ２００Ｖ系であると判断することができる。
【００５０】
交流入力電圧１５２がＡＣ１００Ｖ系であると判断した場合は（ステップＳ１２）、ＡＣ１００Ｖ系の温度検出情報と冷却ファン駆動電圧の対応関係を選択し（ステップＳ１４）、交流入力電圧１５２がＡＣ２００Ｖ系であると判断した場合は（ステップＳ１２）、ＡＣ２００Ｖ系の温度検出情報と冷却ファン駆動電圧の対応関係を選択する（ステップＳ１６）。
【００５１】
そして、選択した温度検出情報と冷却ファン駆動電圧の対応関係を参照し、周囲温度検出回路１１０が出力する温度検出情報１１２に基づいて、冷却ファン駆動電圧１０２を制御する（ステップＳ１８）。
【００５２】
なお、本発明は本実施形態に限定されず、本発明の要旨の範囲内で種々の変形実施が可能である。
【００５３】
例えば、上記実施の形態では、冷却ファン駆動制御回路９０は２次側に配置しているが、１次側に配置してもよい。図２に示す入力電圧検出回路８０においては１次側で発生する信号を絶縁された２次側に伝えるためにフォトカプラＰＨＣを使用して電圧検出情報８２を冷却ファン駆動制御回路９０に出力しているが、冷却ファン駆動制御回路９０を１次側に配置した場合は、フォトカプラを使用する必要がない。
【００５４】
また、例えば、上記実施の形態では、電圧情報検出回路８０は、全波整流回路５０の出力（５２）の電圧を検出しているが、ＥＭＩフィルタの出力（４２）（全波整流回路５０の入力）の電圧を検出するようにしてもよい。この場合は、図２の電圧情報検出回路の構成や抵抗値を変更する等して、全波整流された信号の電圧を適切に検出することができるような回路にすればよい。
【００５５】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００５６】
【図１】本実施の形態の電源装置及び本実施の形態の電源装置を組み込んだプロジェクタの構成例を説明するための図。
【図２】本実施の形態の電源装置における入力電圧検出回路の構成例を説明するための図。
【図３】本実施の形態の電源装置におけるＰＦＣ昇圧回路の回路構成例を説明するための図。
【図４】図４（Ａ）はＡＣ１００Ｖ系の交流入力電圧が入力された場合の温度検出情報と冷却ファン駆動電圧の対応関係の例を説明するための図であり、図４（Ｂ）はＡＣ２００Ｖ系の交流入力電圧が入力された場合の温度検出情報と冷却ファン駆動電圧の対応関係の例を説明するための図である。
【図５】本実施の形態の電源装置における冷却ファン駆動電圧の制御をソフトウェアで行う場合の制御フローの例を説明するための図。
【符号の説明】
【００５７】
１０  プロジェクタ、２０  電源装置、３０  主電源部、４０  ＥＭＩフィルタ、５０  全波整流回路、６０  ＰＦＣ昇圧回路、６２直流出力電圧、６４  ＰＷＭ制御回路、６６  ＰＷＭ制御信号、７０  ＤＣ−ＤＣフライバックコンバータ、７２  トランス、７４  直流出力電圧、８０  入力電圧検出回路、８２  電圧検出情報、９０  冷却ファン駆動電圧制御回路、１００  冷却ファン駆動回路、１０２  冷却ファン駆動電圧、１１０  周囲温度検出回路、１１２  温度検出情報、１２０  冷却ファン、１３０  バラスト回路、１４０  ランプ、１５０  交流電源、１５２  交流入力電圧
【図１】
2008160926.tif 000003
【図２】
2008160926.tif 000004
【図３】
2008160926.tif 000005
【図４】
2008160926.tif 000006
【図５】
2008160926.tif 000007